(57)【要約】【課題】簡易な構成で応答性の良い鳴鐘装置を提供すること。【解決手段】鳴鐘装置は、複数のベル部３００と、制御装置とを備える。ベル部３００は、碗型の本体部３２と、軸部４３１とヘッド部３４２の間にソレノイドコイル６３が設けられて、本体部３２内に回動可能に吊下げられたハンマー部３４と、ソレノイドコイル６３の軸方向に配置された磁石（第一磁石６１，第二磁石６２）と、を有する。制御装置は、曲データに対応してベル部３００のソレノイドコイル６３を励磁及び消磁させ、ハンマー部３４により本体部３２を鳴鐘させて曲を演奏する。【選択図】  図５
2018106055.tif 000002
【特許請求の範囲】
【請求項１】
複数のベル部と、制御装置とを備えた鳴鐘装置であって、
前記ベル部は、
碗型の本体部と、
軸部とヘッド部の間にソレノイドコイルが設けられて、前記本体部内に回動可能に吊下げられたハンマー部と、
前記ソレノイドコイルの軸方向に配置された磁石と、
を有し、
前記制御装置は、曲データに対応して前記ベル部の前記ソレノイドコイルを励磁及び消磁させ、前記ハンマー部により前記本体部を鳴鐘させて曲を演奏する、
ことを特徴とする鳴鐘装置。
【請求項２】
前記磁石は、前記ソレノイドコイルに対して、前記本体部の外径側に配置された第一磁石と、前記本体部の中心側に前記第一磁石と同一磁極が対向するように配置された第二磁石と、を含み、
前記ソレノイドコイルは、励磁させると、前記第一磁石から引力を受け前記第二磁石から斥力を受けるように形成される、
ことを特徴とする請求項１に記載の鳴鐘装置。
【請求項３】
前記ハンマー部と前記磁石とを収納し、前記本体部の上孔部から突出するフック部が形成された内部ユニットと、
前記フック部と係合し、前記内部ユニットが前記上孔部の縁部に当接して前記本体部を吊支する固定部と、
を有することを特徴とする請求項１又は請求項２に記載の鳴鐘装置。
【発明の詳細な説明】
【技術分野】
【０００１】
本発明は、鳴鐘装置に関する。
【背景技術】
【０００２】
従来から、ハンマーがベル体を電気的な制御により打撃して音を発生させる鳴鐘装置が提案されている。例えば、特許文献１の鐘体打撃装置は、鐘体の内部にハンマーを備える。ハンマーは、鐘体内部の支持体に軸部を中心に支持されて搖動する。また、ハンマーは、軸部を介して反対側の槓杆部と接続される。ソレノイドが励起されると、槓杆部に吊り下げられた鉄芯が槓杆部とともに下に向かって移動する。すると、ハンマーが持ち上げられて、鐘体を打撃する。その後、ハンマーは、自重により鐘体から離れるとともに鉄芯が持ち上げられ、元の位置に戻る。
【先行技術文献】
【特許文献】
【０００３】
【特許文献１】特開２００８−１８５７５１号公報
【発明の概要】
【発明が解決しようとする課題】
【０００４】
ソレノイドにより制御したハンマーでベル体を鳴鐘させる場合、ハンマーの応答性は高いことが望ましい。一方、このようなハンマーは、通常、棒状物の先端に打撃用のヘッド部が設けられるため、特許文献１のように、駆動源である槓杆部からハンマーのヘッド部までの距離が長いと、撓りによりベル体の打撃又は離間の応答性が悪くなってしまう。また、応答性を良くするために、ソレノイドにより発生する磁界をコイルの巻き数を増やすことによって増加させることができるが、ソレノイドの外径が大きくなったり軸方向の長さが長くなってしまうため、ハンマーの駆動機構が大きくなってしまう。よって、鳴鐘装置の見栄えが悪くなったり小さなベル体に適用することが難しくなる。
【０００５】
本発明は、以上の点に鑑み、簡易な構成で応答性の良い鳴鐘装置を提供することを目的とする。
【課題を解決するための手段】
【０００６】
本発明の鳴鐘装置は、複数のベル部と、制御装置とを備えた鳴鐘装置であって、前記ベル部は、椀型の本体部と、軸部とヘッド部の間にソレノイドコイルが設けられて、前記本体部内に回動可能に吊下げられたハンマー部と、前記ソレノイドコイルの軸方向に配置された磁石と、を有し、前記制御装置は、曲データに対応して前記ベル部の前記ソレノイドコイルを励磁及び消磁させ、前記ハンマー部により前記本体部を鳴鐘させて曲を演奏する、ことを特徴とする。
【発明の効果】
【０００７】
本発明によれば、簡易な構成で応答性の良い鳴鐘装置を提供することができる。
【図面の簡単な説明】
【０００８】
【図１】本発明の実施形態に係る鳴鐘装置を示す図である。
【図２】本発明の実施形態に係る制御装置及びベル部のブロック図である。
【図３】本発明の実施形態に係る曲テーブルを示す図である。
【図４】本発明の実施形態に係るベル体の分解斜視図である。
【図５】本発明の実施形態に係る図４のベル体を組み立てた状態のＶａ−Ｖａ断面図であり、（ａ）はソレノイドコイルの消磁状態を示し、（ｂ）はソレノイドコイルの励磁状態を示す。
【図６】本発明の実施形態に係る制御部のフローチャートを示す図である。
【図７】本発明の実施形態に係る複数の鳴鐘装置を用いた場合の各制御装置の接続例を示す図であり、（ａ）はリニア型を示し、（ｂ）はツリー型を示す。
【発明を実施するための形態】
【０００９】
以下、図に基づいて本発明の実施形態を説明する。図１は、鳴鐘装置１を示す図である。鳴鐘装置１は、化粧板２、複数のベル体３０１〜３０８、制御装置４により形成される。化粧板２は、下端において短尺の支持板２１により支持される。化粧板２には、例えばクリスマスツリーを模した図柄や人や動物の図柄が施される。化粧板２は、左右に４個ずつのベル支持部２２を有する。各ベル支持部２２の先端上方には、切欠部２２１が形成される。
【００１０】
各ベル体３０１〜３０８は、ボールチェーンやリボン等の紐体３ａが切欠部２２１に掛けられることにより、ベル支持部２２に吊支される。ベル体３０１〜３０８は、各々異なる音高を発する。本実施形態の鳴鐘装置１は、合計８つのベル体３０１〜３０８を備える。ベル体３０１の音高は「ド」に対応する。ベル体３０２の音高は「レ」に対応する。以降同様に、ベル体３０３、３０４、３０５、３０６、３０７、３０８の音高は、各々「ミ」、「ファ」、「ソ」、「ラ」、「シ」、「ド（１オクターブ上）」に対応する。よって、本図に示すベル体３０１〜３０８によると、「ド」から１オクターブ上の「ド」までの合計８音（長調音階）を鳴らすことができる。
【００１１】
制御装置４は、各ベル体３０１〜３０８とケーブル２３によって電気的に接続される。制御装置４は、演奏する曲データに応じてベル体３０１〜３０８の鳴鐘動作を制御する。
【００１２】
図２は、制御装置４及びベル体３０１〜３０８のブロック図である。制御装置４は、制御部４１、記憶部４２、入力部４３、検出部４４、通信部４５、電源部４７及び複数の切換部４８を備える。本実施形態の制御部４１及び記憶部４２は、マイコン４６内に一体部品として形成される。記憶部４２は、曲テーブル４２１や、再生対象の曲の選択に用いるカウンタ４２２を記憶する。
【００１３】
図３は、曲テーブル４２１を示す図である。曲テーブル４２１には、項番４２１ａ毎に対応して曲データ４２１ｂが記憶される。本図では、曲データ４２１ｂとして、複数の曲「ａ１」、「ａ２」、「ａ３」が記憶されている。本実施形態のベル体３０１〜３０８は、「ド」から１オクターブ上の「ド」まで鳴らすことができるため、曲データ４２１ｂにはその音域で演奏可能な曲を記憶することができる。
【００１４】
図２において、入力部４３は、例えば、プッシュボタンスイッチとして形成される（図１も参照）。入力部４３からの操作により、演奏対象の曲の切り換えを行うことができる。また、制御装置４には、入力部４３として、スライドスイッチを備えたり、複数の操作部を備えたりすることができる。
【００１５】
検出部４４は、鳴鐘装置１の周囲や特定の位置を監視して、人物、動物又は乗り物等の存在を検出する。検出部４４は、例えば、反射型又は投受光型の赤外線センサや、撮像素子により構成することができる。
【００１６】
通信部４５は、外部の機器と通信する機能を有する。本実施形態の通信部４５は、有線ケーブルと接続するための２極配線用のジャックを備えて外部装置と情報の送受信を行っている。なお、２極配線の他に３極配線又は４極配線により伝送路を構成してもよい。また、符号化や復号化のための通信処理は、制御部４１により行ってもよいし、通信部４５内で行う構成としてもよい。通信部４５は、記憶部４２内に記憶された曲データ４２１ｂや、制御部４１による処理結果を外部装置に送信することができる。或いは、通信部４５は、外部から、記憶部４２に記憶させる曲データ４２１ｂや他の制御装置４の処理結果を受信することができる。なお、通信部４５は、無線により通信する構成としてもよい。
【００１７】
電源部４７は、電圧源として設けることができる。電源部４７は、マイクロＵＳＢ端子等により外部電源からの給電を中継及び変電する構成としてもよいし、一次電池や二次電池による内部電源としてもよい。マイコン４６、検出部４４及び通信部４５は、この電源部４７から電力供給される（配線は不図示）。
【００１８】
切換部４８は、制御部４１、電源部４７及びベル体３００と接続される。切換部４８は、制御部４１からの切り換え信号に基づき、電源部４７の電力をベル体３００に供給又は遮断する切り換え動作を行う。切換部４８は、バイポーラトランジスタ等の半導体素子により構成することができる。
【００１９】
制御部４１は、８個の切換部４８１〜４８８と個別に接続される。各切換部４８１〜４８８は、それぞれ対応するベル体３０１〜３０８と接続される。各切換部４８１〜４８８は個別に制御されるため、電源部４７からの電力はベル体３０１〜３０８毎に個別に供給制御される。
【００２０】
図４は、ベル体３００の分解斜視図である。また、図５（ａ）及び図５（ｂ）は、図４のベル体３００を組み立てた状態のＶａ−Ｖａ断面図である。図５（ａ）はソレノイドコイルの消磁状態を示し、図５（ｂ）はソレノイドコイルの励磁状態を示す。なお、以降のベル体３００の説明では、図４の上側を上、その反対側を下とし、ベル体３００の第一磁石６１が設けられる側を前、その反対側を後とする。また、ベル体３００の後方から見た左側を左、その反対側を右とする。
【００２１】
ベル体３００は、固定部３１、本体部３２及び内部ユニット３３により形成される。内部ユニット３３は、ソレノイドコイル６３が設けられるハンマー部３４、ターミナル用の基板５０、第一磁石６１及び第二磁石６２を収納する。
【００２２】
固定部３１は、略円錐台状に形成される。固定部３１の上端には、前後方向にアーチ状の取手部３１１が設けられる。この取手部３１１により左右方向に貫通孔３１４が形成される。ベル体３００は、貫通孔３１４に紐体３ａが掛けられて、図１のベル支持部２２に吊支される。また、固定部３１は、円錐台状の基部の中央側に上下方向に貫通する孔部３１２を有する。孔部３１２内の左右両側の内壁には、段部３１２ａが形成される（左側の段部は不図示）。また、図５（ａ）に示すように、固定部３１は、下面に半球状の突起部３１３を複数備える。
【００２３】
本体部３２は、下方に開口部３２２を有した全体が碗型に形成される。本体部３２は、鉄、ステンレス、真鍮等の金属により形成される。本体部３２の側面には略一定の傾斜角度で下方に向かって拡径する上側面３２ｂが形成され、本体部３２の下端部には上側面３２ｂよりさらに径の大きな大径部３２ｃが形成される。本体部３２の頂部３２ａは、略平坦面である。頂部３２ａには、略円形の上孔部３２１が形成される。上孔部３２１の内縁の左右両側には、矩形状の切欠部３２１ａが形成される。
【００２４】
内部ユニット３３は、左ユニット３３ａと右ユニット３３ｂとが係合して略直方体状に形成される。左ユニット３３ａの前端には前係合板３３１ａが形成され、左ユニット３３ａの後端には後係合板３３２ａが形成される。前係合板３３１ａの先端の後面側には係合爪３３１ｃが形成される。また、後係合板３３２ａの先端の前面にも係合爪が形成される。
【００２５】
一方、右ユニット３３ｂの前端には前被係合溝３３１ｂが形成され、右ユニット３３ｂの後端には後被係合溝３３２ｂが形成される。前被係合溝３３１ｂ及び後被係合溝３３２ｂは、略矩形の溝状に形成される。前係合板３３１ａの係合爪３３１ｃが前被係合溝３３１ｂの右側溝３３１ｄに係合し、後係合板３３２ａの係合爪が後被係合溝３３２ｂの右側溝（不図示）に係合することにより、左ユニット３３ａと右ユニット３３ｂとが係合する。
【００２６】
左ユニット３３ａの頂面３３ａ１からは、固定部３１と係合するフック部３３３ａが立設している。フック部３３３ａは、先端の左側面側に係合爪３３３ｃを有する。また、右ユニット３３ｂの頂面３３ｂ１からも、固定部３１と係合するフック部３３３ｂが立設している。フック部３３３ｂは、先端の右側面側に係合爪３３３ｃを有する。内部ユニット３３は、フック部３３３ａとフック部３３３ｂの各係合爪３３３ｃが本体部３２の上孔部３２１を介して固定部３１の段部３１２ａに係合することにより、固定部３１と接続される。
【００２７】
フック部３３３ａの左側面の基端側、及びフック部３３３ｂの右側面の基端側には、リブ部３３３ｄが形成される。リブ部３３３ｄは、内部ユニット３３を本体部３２及び固定部３１と組む図５（ａ）の状態では、切欠部３２１ａ内に位置している。頂面３３ｂ１における外側切欠部３３ｂ２の前後位置には、当接突起部３３ｂ４が形成される。
【００２８】
なお、左ユニット３３ａのフック部３３３ａは、頂面３３ａ１において右方に突出した略台形状の基台板３３ａ２に形成されている。また、右ユニット３３ｂの頂面３３ｂ１の左縁部には、前後に長い略矩形状の外側切欠部３３ｂ２が形成される。外側切欠部３３ｂ２の内縁には、外側切欠部３３ｂ２より前後長さが短い内側切欠部３３ｂ３がさらに形成される。
【００２９】
右ユニット３３ｂの下面前方側には、矩形状の切欠部３３５が形成される。左ユニット３３ａ及び右ユニット３３ｂが係合されると、切欠部３３５によって、矩形状の貫通孔が形成される（図５（ａ）も参照）。
【００３０】
ハンマー部３４は、上端に軸部３４１を有し、下端にヘッド部３４２を有する。軸部３４１とヘッド部３４２とは、接続板３４３を介して接続される。軸部３４１は、左右方向に形成される。軸部３４１は、左ユニット３３ａに設けられた軸孔３３４と、右ユニット３３ｂに設けられた軸孔（不図示）に挿通され、回動可能に吊下げられるように支持される。
【００３１】
ヘッド部３４２は、略球状に形成される。ヘッド部３４２は、図５（ａ）に示すように、後端側から前方に向かって形成された螺子孔３４２ａを有する。また、ヘッド部３４２は、螺子孔３４２ａの後方に円形の座繰状に形成された孔部３４２ｂを有する。螺子孔３４２ａに適宜の螺子を螺止させると、ヘッド部３４２の重量を調節することができる。また、孔部３４２ｂ内に螺子孔３４２ａに螺入させる螺子の頭部を収めることができるため、ヘッド部３４２の重心位置を容易に調整することができる。
【００３２】
接続板３４３は、軸部３４１側がヘッド部３４２側よりも幅広に形成される。また、接続板３４３とヘッド部３４２との接続位置において、前側にはリブ部３４３ａが形成され、後側にもリブ部３４３ｂが形成される。接続板３４３は、図５（ａ）に示すように、後面側にソレノイドコイル６３を形成するための円環状溝部３４４を有する。この円環状溝部３４４の中央には、後方に向かって立設する軸部３４４ａが形成される。ソレノイドコイル６３は、この軸部３４４ａを中心にコイル線が巻回されることにより形成される。ソレノイドコイル６３は、前後に軸方向が向くように配置される。
【００３３】
ハンマー部３４は、切欠部３３５により形成された貫通孔により、内部ユニット３３の内部で軸部３４１が支持されながら、ヘッド部３４２を内部ユニット３３の下方外部へ露出させる。ハンマー部３４は、切欠部３３５の切り欠き前後幅の分だけ、軸部３４１を中心に前後方向に回動することができる。
【００３４】
図５（ａ）の右ユニット３３ｂ内において、ソレノイドコイル６３の軸方向前側には、第一磁石６１が配置される。この第一磁石６１の本体部３２内部における位置は、ソレノイドコイル６３に対して本体部３２の外径側である。第一磁石６１は、右ユニット３３ｂに設けられた、略後方に開口したコ字状枠部３３６内に固定される。コ字状枠部３３６の底部には、左右方向に亘りリブ部３３６ａが形成される。また、コ字状枠部３３６の後方側（開口部側）の端縁からは、コ字状枠部３３６の内側に向けて立設する押え板３３６ｂが形成される。この押え板３３６ｂにより、第一磁石６１の脱落が防止される。
【００３５】
また、ソレノイドコイル６３の軸方向後側には、第二磁石６２が配置される。この第二磁石６２の本体部３２内部における位置は、ソレノイドコイル６３に対して本体部３２の中心側である。第二磁石６２は、右ユニット３３ｂに設けられた、前方に開口したコ字状枠部３３７内に固定される。コ字状枠部３３７の底部には、左右方向に亘りリブ部３３７ａが形成される。また、コ字状枠部３３７の前方側（開口部側）の縁部からは、コ字状枠部３３７の内側に向けて立設する押え板３３７ｂが形成される。この押え板３３７ｂにより、第二磁石６２の脱落が防止される。なお、第一磁石６１及び第二磁石６２は、同一磁極が対向するように配置される。また、第一磁石６１及び第二磁石６２は、ネオジム系、フェライト系等の磁石を用いることができる。
【００３６】
基板５０は、ソレノイドコイル６３から引き出されるコイル線５１１と、制御装置４から延設された給電用のケーブル２３との接続を中継するために用いられる。基板５０は、右ユニット３３ｂ内において、前方に開口したコ字状枠部３３８内に固定される。コ字状枠部３３８の底部には、左右方向に亘りリブ部３３８ａが形成される。また、コ字状枠部３３８の前方側（開口部側）の縁部からは、コ字状枠部３３８の内側に向けて立設する押え板３３８ｂが形成される。この押え板３３８ｂにより、基板５０の脱落が防止される。
【００３７】
基板５０には、端子部５１及び端子部５２が設けられる。コイル線５１１は端子部５１に接続され、ケーブル２３は端子部５２に接続される。これにより、ケーブル２３とコイル線５１１とは、電気的に接続される。なお、ケーブル２３は、内側切欠部３３ｂ３、孔部３１２及び貫通孔３１４に挿通されて、図１の化粧板２側へ案内される。
【００３８】
次に、鳴鐘装置１の動作について説明する。図６は、制御部４１のフローチャートを示す図である。本図では、記憶部４２に記憶された複数の曲を順に演奏する場合について説明する。制御装置４の電源が投入されると、ステップＳ１０１で、制御部４１は、制御装置４の初期化処理を行う。ここでは、記憶部４２に記憶されるカウンタ４２２「Ｎ」の値を「１」とする初期化処理を行う。
【００３９】
ステップＳ１０２で、制御部４１は、検出部４４により人の存在を検出すると、ステップＳ１０３に進む。ステップＳ１０３で、制御部４１は、記憶部４２の曲テーブル４２１を参照し、カウンタＮ＝「１」であることから、曲データ４２１ｂから項番４２１ａ＝「１」に対応する曲「ａ１」を選択する。
【００４０】
ステップＳ１０４で、制御部４１は、選択した曲「ａ１」を演奏する。演奏は、制御部４１が鳴らしたいベル体３０１〜３０８に対応する切換部４８１〜４８８に「オン」信号を出力することにより行われる。
【００４１】
ベル体３０１の制御を例に図２及び図５を参照して説明する。まず、音を鳴らさない初期状態では、制御部４１は、切換部４８１と接続される信号線４１１への出力を「オフ」としている。そのため、切換部４８１は「オフ」となり、ケーブル２３１内には電流が流れず、ソレノイドコイル６３にも電流が流れないため、ソレノイドコイル６３は消磁状態である。このとき、ハンマー部３４は、図５（ａ）に示すように、ヘッド部３４２の自重により軸部３４１の鉛直下方に位置する。接続板３４３の後面は、押え板３３７ｂの前端と略当接している。
【００４２】
一方、曲の演奏が始まり、ベル体３０１を鳴らす場合、制御部４１は、切換部４８１と接続される信号線４１１への出力を「オン」にする。すると、切換部４８１は「オン」となり、ケーブル２３１内には電流が流れ、ソレノイドコイル６３にも電流が流れるため、ソレノイドコイル６３は励磁状態となる。図５（ａ）のソレノイドコイル６３は、例えば、ベル体３０１の後側（第二磁石６２側）から前側（第一磁石６１側）に向かう磁界が発生するように形成される。このとき、ソレノイドコイル６３の第一磁石６１側の磁極はＮ極であり、第二磁石６２側の磁極はＳ極である。
【００４３】
第一磁石６１はソレノイドコイル６３側の磁極がＳ極となるように配置される。また、第二磁石６２はソレノイドコイル６３側の磁極がＳ極となるように配置される。よって、励磁状態のとき、ソレノイドコイル６３は、第一磁石６１との間に引力を受け、第二磁石６２との間に斥力を受ける。よって、制御部４１が切換部４８１を「オン」にすると、図５（ｂ）に示すように、ハンマー部３４が本体部３２内の内面３２３に向けて付勢され、本体部３２を打撃する。これにより、本体部３２が予め対応している音高（ベル体３０１では「ド」の音）で鳴鐘する。
【００４４】
その後、制御部４１が切換部４８１への出力を「オフ」とすると、ソレノイドコイル６３は電流供給が遮断されて、消磁状態となる。よって、ハンマー部３４は、図５（ａ）に示すようにヘッド部３４２の自重により軸部３４１の鉛直下方に向かって元の位置に戻る。
【００４５】
制御部４１から切換部４８１へ出力されるオン信号は、パルス波形状の信号とすることができる。このオン信号のパルス幅は、ソレノイドコイル６３の励磁時間に対応する。例えば、オン信号のパルス幅は、ハンマー部３４が本体部３２の内面３２３に向かって回動し、内面３２３に衝突する直前でオフとなるような幅に調節することができる。そうすることで、内面３２３へ付勢されたハンマー部３４は、慣性により本体部３２に衝突し、その後、本体部３２に接触したままとなることがない。よって、ハンマー部３４は本体部３２の振動を妨げず、ベル体３０１が発する残響音が持続される。
【００４６】
なお、本体部３２は、上孔部３２１の内縁部が内部ユニット３３の当接突起部３３ｂ４と下方から略点接触することにより支えられる。鳴鐘時の本体部３２は、主に上側面３２ｂや大径部３２ｃが振動するため、当接突起部３３ｂ４による支持は本体部３２の振動に与える影響を低減することができる。また、半球状の突起部３１３は、本体部３２の振動及び搖動時に上孔部３２１周囲の頂部３２ａと略点接触する。これにより、本体部３２の残響を持続させつつ過剰な揺れを抑制することができる。
【００４７】
また、オン信号のパルス幅は、ハンマー部３４の重量や、ハンマー部３４の前端３４ａから本体部３２の内面３２３までの距離に応じて適宜定めることができる。また、図示はしないが、ソレノイドコイル６３に流れる電流量は適宜の位置に設けた電流制限抵抗により調節することができ、これによりソレノイドコイル６３に発生させる磁力を調節することができる。図６に戻り、ステップＳ１０４の演奏が終わると、制御部４１は、ステップＳ１０５に進む。
【００４８】
ステップＳ１０５で、制御部４１は、カウンタＮの値を「１」増加させる。カウンタＮは現在「１」であるため、ここでは、カウンタＮに「２」の値が代入される。
【００４９】
ステップＳ１０６で、制御部４１は、制御装置４の動作を終了するか判断する。制御部４１は、入力部４３からの終了操作の受付があった場合や、制御部４１が曲テーブル４２１に記憶された曲データ４２１ｂを全て演奏し終えた場合に、制御装置４の動作を終了すると判断し（ステップＳ１０６，Ｙ）、処理を終了する。また、制御部４１は、入力部４３からの終了操作の受付がない場合等、動作の終了条件を満たさない場合（ステップＳ１０６，Ｎ）、ステップＳ１０２の処理に戻る。制御部４１は、ステップＳ１０２〜Ｓ１０５の処理を繰り返して、以降の曲「ａ２」が演奏される。
【００５０】
次に、複数の鳴鐘装置１を用いて曲を演奏する例について説明する。鳴鐘装置１は、複数を接続させてより多くのベル体３００を制御することができる。図７（ａ）及び図７（ｂ）は、複数の鳴鐘装置１を用いた場合の各制御装置４の接続例を示す図である。なお、図７（ａ）及び図７（ｂ）では、鳴鐘装置１、化粧板２及びベル体３００の図示は省略している。
【００５１】
図７（ａ）はリニア型の接続方法を示している。例えば、各制御装置４Ａ〜４Ｄは、通信部４５（図２参照）により最大２台の他の制御装置４Ａ〜４Ｄと接続することができる。マスタに相当する制御装置４Ａは、通信部４５を介してスレーブに相当する制御装置４Ｂ及び制御装置４Ｄと接続される。制御装置４Ｂはさらに通信部４５を介してスレーブに相当する制御装置４Ｃと接続される。
【００５２】
制御装置４Ａに接続されるベル体３００が図１に示したベル体３０１〜３０８である場合、制御装置４Ａは長調音階の「ド」から１オクターブ上の「ド」までを発音させることができる。その他の制御装置４Ｂ〜４Ｄのベル体３００には、制御装置４Ａに接続されるベル体３００と異なる音高のベル体３００を接続させることができる。そして、制御装置４Ａに記憶される曲テーブル４２１には、ベル体３０１〜３０８の音高では演奏できない曲を曲データ４２１ｂとして記憶しておくことができる。
【００５３】
制御装置４Ａは、曲の演奏を開始する場合、いずれの音高のベル体３００をいずれのタイミングで鳴鐘させるかの制御情報を、他の制御装置４Ｂ〜４Ｄへ送信する。その制御情報には同期演奏のための同期信号を含めてもよい。他の制御装置４Ｂ〜４Ｄは、制御装置４Ａから送られた制御情報や同期信号を受信し、制御装置４Ｂ〜４Ｄが制御しているベル体３００を鳴鐘させる。
【００５４】
よって、制御装置４Ａが、ベル体３０１〜３０８のみでは演奏できない曲（すなわちベル体３０１〜３０８の調性と異なる調性の曲）を演奏指示した場合であっても、制御装置４Ａ〜４Ｄ全体に接続されたベル体３００を用いて様々な曲を合奏することができる。また、離れた複数個所からベル体３００を発音させることができるため、聴き手に立体的な音響効果を与えることができる。なお、各制御装置４Ａ〜４Ｄのベル体３００には、同じ音高のベル体３００を含ませて、同じ音高のベル体３００を同時に鳴鐘させてもよい。
【００５５】
また、各制御装置４Ａ〜４Ｄは同じ曲を曲データ４２１ｂとして記憶しており、マスタの制御装置４Ａが演奏を開始するスタート信号を他の制御装置４Ｂ〜４Ｄに送信する構成としてもよい。これにより、各制御装置４Ａ〜４Ｄに記憶された同じ曲を同時に再生させて合奏することができる。このとき、制御装置４Ａ〜４Ｄは、合奏する曲に、接続されるベル体３００によって発音できない音高が含まれていた場合、その音高の制御情報を無視することができる。
【００５６】
図７（ｂ）はツリー型の接続方法を示している。マスタに相当する制御装置４Ｅには、スレーブに相当する制御装置４Ｆ及び制御装置４Ｈが接続される。また、制御装置４Ｆには、スレーブに相当する制御装置４Ｇ及び制御装置４Ｉが接続される。図７（ａ）のリニア型と同様に、マスタの制御装置４Ｅが曲の制御情報や曲の演奏を開始するスタート信号を他の制御装置４Ｆ〜４Ｈに送信すると、制御装置４Ｅ〜４Ｈ全体に接続されたベル体３００を用いて様々な曲を合奏することができる。
【００５７】
なお、図７（ａ）の接続方法において、マスタの制御装置４として、リニア接続の端部に配置された制御装置４Ｃや制御装置４Ｄを用いてもよい。また、制御装置４Ｃと制御装置４Ｄを接続してループ型となるように接続させてもよい。さらに、複数の制御装置４の接続方法として、バス型、スター型等その他の形式を適用することができる。
【００５８】
以上説明したように、本実施形態の鳴鐘装置１は、接続板３４３に設けられたソレノイドコイル６３を駆動源として、軸部３４１を中心にヘッド部３４２を本体部３２に衝突させる構成とした。そのため、駆動源とハンマー部３４の先端までの距離を短くすることができ、応答性の良い鳴鐘制御を行うことができる。
【００５９】
また、ソレノイドコイル６３の軸方向の両方側に、第一磁石６１及び第二磁石６２を配置させたため、高い磁力を確保しつつ簡易な構成によりハンマー部３４の駆動機構を構成することができる。なお、第一磁石６１又は第二磁石６２の一方を、ソレノイドコイル６３の軸方向の片方側に配置する構成としてもよい。
【００６０】
また、本実施形態では、ハンマー部３４の駆動源として、ソレノイドコイル６３を利用したため、モータを利用する場合に比べて演奏曲と無関係な騒音の発生を低減することができる。
【００６１】
また、通信部４５は、汎用性のある２極配線としたため、複数の制御装置４同士の接続を容易に行うことができる。
【００６２】
以上、本発明の実施形態を説明したが、本発明は以上の実施形態によって限定されることはなく、種々の態様で実施することができる。例えば、軸部３４４ａには、鉄芯等の常磁性材料を用いることができる。これにより、ソレノイドコイル６３を励磁させた際、軸部３４４ａを樹脂部材とした場合や空芯状態とした場合に比べ強い磁力を生じさせることができ、ハンマー部３４の初動応答性を高めることができる。
【００６３】
また、切換部４８は、図２に示すように制御装置内に設けたが、各ベル体３００内に配置してもよい。この場合、電源部４７から切換部４８までの配線や、ベル体３００の「オン」信号を伝達する信号線４１１を、各ベル体３００の内部にまでケーブル２３により延設することができる。
【００６４】
また、図６において、制御部４１は、ステップＳ１０６で処理を終了しないと判断した場合（ステップＳ１０６，Ｎ）、ステップＳ１０３に戻るようにしてもよい。これにより、ステップＳ１０２で人の検出を行って一度演奏が開始されると、曲データ４２１ｂに記憶される全ての曲を順次演奏させる構成とすることができる。
【００６５】
また、図６のフローチャートにおいて、曲の演奏順序は、カウンタ値を用いることにより曲テーブル４２１の項番４２１ａの順としたが、ランダム再生としたり予め使用者が入力部４３等から設定した特定の曲としてもよい。
【符号の説明】
【００６６】
１      鳴鐘装置                            ２      化粧板
３ａ    紐体                                ４（４Ａ〜４Ｉ）  制御装置
２１    支持板                              ２２    ベル支持部
２３    ケーブル                            ３１    固定部
３２    本体部                              ３２ａ  頂部
３２ｂ  上側面                              ３２ｃ  大径部
３３    内部ユニット                        ３３ａ  左ユニット
３３ａ１  頂面                              ３３ａ２  基台板
３３ｂ  右ユニット                          ３３ｂ１  頂面
３３ｂ２  外側切欠部                        ３３ｂ３  内側切欠部
３３ｂ４  当接突起部                        ３４    ハンマー部
３４ａ  前端
４１    制御部                              ４２    記憶部
４３    入力部                              ４４    検出部
４５    通信部                              ４６    マイコン
４７    電源部                              ４８    切換部
５０    基板                                ５１    端子部
５２    端子部                              ６１    第一磁石
６２    第二磁石                            ６３    ソレノイドコイル
２２１  切欠部                              ２３１  ケーブル
３００（３０１〜３０８）  ベル体            ３１１  取手部
３１２  孔部                                ３１２ａ  段部
３１３  突起部                              ３１４  貫通孔
３２１  上孔部                              ３２１ａ  切欠部
３２２  開口部                              ３２３  内面
３３１ａ  前係合板                          ３３１ｂ  前被係合溝
３３１ｃ  係合爪                            ３３１ｄ  右溝
３３２ａ  後係合板                          ３３２ｂ  後被係合溝
３３３ａ  フック部                          ３３３ｂ  フック部
３３３ｃ  係合爪                            ３３３ｄ  リブ部
３３４    軸孔                              ３３５    切欠部
３３６    コ字状枠部                        ３３６ａ  リブ部
３３６ｂ  押え板                            ３３７    コ字状枠部
３３７ａ  リブ部                            ３３７ｂ  押え板
３３８    コ字状枠部                        ３３８ａ  リブ部
３３８ｂ  押え板                            ３４１    軸部
３４２    ヘッド部                          ３４２ａ  螺子孔
３４２ｂ  孔部                              ３４３    接続板
３４３ａ  リブ部                            ３４３ｂ  リブ部
３４４    円環状溝部                        ３４４ａ  軸部
４１１    信号線                            ４２１    曲テーブル
４２１ａ  項番                              ４２１ｂ  曲データ
４２２    カウンタ                          ４８１〜４８８  切換部
５１１    コイル線
【図１】
2018106055.tif 000003
【図２】
2018106055.tif 000004
【図３】
2018106055.tif 000005
【図４】
2018106055.tif 000006
【図５】
2018106055.tif 000007
【図６】
2018106055.tif 000008
【図７】
2018106055.tif 000009